(57)【要約】【課題】水が流れる第1流路４と、第１流路の途中に設けられたベンチュリー部４１の周壁部に開設された吸込み口４２と、洗剤タンク５と、下流端が吸込み口４２に接続された、洗剤タンク５からの洗剤が流れる第２流路６とを備え、ベンチュリー部４１において発生する負圧で吸込み口４２から洗剤を吸引して洗浄液を生成する洗浄液生成装置であって、第２流路６に弁装置を介設するものにおいて、第１流路４のベンチュリー部下流側部分での詰まりを生じても、洗剤タンク５に水が逆流することを防止できるようにする。【解決手段】第２流路６に介設する弁装置を直列に接続された電磁弁から成る第１と第２の一対の洗剤弁９１，９２で構成する。第１洗剤弁９１は、弁室９１が弁座９２に形成する弁孔９２ａに対し洗剤の流れ方向上流側に位置するものとし、第２洗剤弁９２は、弁室９１が弁座９２に形成する弁孔９２ａに対し洗剤の流れ方向下流側に位置するものとする。【選択図】図１
2019166247.tif 000002
【特許請求の範囲】
【請求項１】
水が流れる第１流路と、第１流路の途中に設けられた、流路断面積が最小となるベンチュリー部と、ベンチュリー部の周壁部に開設された吸込み口と、洗剤タンクと、下流端が吸込み口に接続された、洗剤タンクからの洗剤が流れる第２流路とを備え、第１流路内の水流によりベンチュリー部において発生する負圧で吸込み口から洗剤を吸引し、水に洗剤を混合して洗浄液を生成する洗浄液生成装置であって、第２流路に、第２流路を開通、遮断する弁装置を介設するものにおいて、
弁装置は、直列に接続された第１洗剤弁と第２洗剤弁とで構成され、第１と第２の各洗剤弁は、弁室と、弁室内に弁室の端部の弁座に接離自在に設けられた弁体と、弁体を弁座に着座する閉じ方向に付勢する弁バネと、弁体を弁バネに抗して開き方向に移動させる電磁ソレノイドとを有する電磁弁であって、第１洗剤弁は、弁座に形成する弁孔に対し弁室が洗剤の流れ方向上流側に位置し、第２洗剤弁は、弁座に形成する弁孔に対し弁室が洗剤の流れ方向下流側に位置することを特徴とする洗浄液生成装置。
【請求項２】
第２流路を開通させる際は、第１洗剤弁を開弁させた後に、第２洗剤弁を開弁させることを特徴とする請求項１記載の洗浄液生成装置。
【請求項３】
第２流路を遮断する際は、第２洗剤弁を閉弁させた後に、第１洗剤弁を閉弁させることを特徴とする請求項１又は２記載の洗浄液生成装置。
【請求項４】
第２洗剤弁は、第１洗剤弁に対し洗剤の流れ方向下流側に配置されることを特徴とする請求項１〜３の何れか１項記載の洗浄液生成装置。
【請求項５】
洗浄液生成装置で生成された洗浄液を浴槽内に噴射する洗浄ノズルを備える浴槽洗浄装置であって、洗浄液生成器として請求項１〜４の何れか１項記載のものを用いることを特徴とする浴槽洗浄装置。
【発明の詳細な説明】
【技術分野】
【０００１】
本発明は、水に洗剤を混合して洗浄液を生成する洗浄液生成装置及びこの洗浄液生成装置を具備する浴槽洗浄装置に関する。
【背景技術】
【０００２】
従来、この種の浴槽洗浄装置として、例えば特許文献１により、洗浄液生成装置で生成された洗浄液を浴槽内に噴射する洗浄ノズルを備えるものが知られている。この洗浄液生成装置は、下流端が洗浄ノズルに接続された、水が流れる第１流路と、第１流路の途中に設けられた、流路断面積が最小となるベンチュリー部と、ベンチュリー部の周壁部に開設された吸込み口と、洗剤タンクと、下流端が吸込み口に接続された、洗剤タンクからの洗剤が流れる第２流路とを備え、第１流路内の水流によりベンチュリー部において発生する負圧で吸込み口から洗剤を吸引し、水に洗剤を混合して洗浄液を生成するように構成されている。
【０００３】
また、第２流路には、第２流路を開通、遮断する弁装置として、洗剤弁が介設されている。洗剤弁は、弁室と、弁室内に弁室の端部の弁座に接離自在に設けられた弁体と、弁体を弁座に着座する閉じ方向に付勢する弁バネと、弁体を弁バネに抗して開き方向に移動させる電磁ソレノイドとを有する電磁弁で構成されている。ここで、洗剤弁の弁室が弁座に形成する弁孔に対し洗剤の流れ方向下流側に位置していると、洗剤弁を閉弁させた状態で洗浄ノズルから水を噴射してすすぎを行う場合に、ベンチュリー部で発生する負圧により弁体が弁バネに抗して開き方向に動いて洗剤弁が開弁してしまう可能性がある。そこで、洗剤弁の弁室は、弁座に形成する弁孔に対し洗剤の流れ方向上流側に位置させている。
【０００４】
ところで、第１流路のベンチュリー部下流側の部分（洗浄ノズルを含む）での詰まりによりベンチュリー部の内圧が高まることがある。この場合、洗剤弁の弁体が弁孔を介して作用する水圧により開き方向に動いて洗剤弁が開弁し、洗剤タンクに水が逆流してしまう可能性がある。そして、洗剤タンクに水が逆流すると、洗剤が薄まってしまい、更には、洗剤タンクから洗剤が溢れ出てしまうこともある。
【先行技術文献】
【特許文献】
【０００５】
【特許文献１】特開２０１７−１３１４０７号公報
【発明の概要】
【発明が解決しようとする課題】
【０００６】
本発明は、以上の点に鑑み、第１流路のベンチュリー部下流側部分での詰まりを生じても、洗剤タンクに水が逆流することを防止できるようにした洗浄液生成装置及びこの洗浄液生成装置を用いた浴槽洗浄装置を提供することをその課題としている。
【課題を解決するための手段】
【０００７】
上記課題を解決するために、本発明は、水が流れる第１流路と、第１流路の途中に設けられた、流路断面積が最小となるベンチュリー部と、ベンチュリー部の周壁部に開設された吸込み口と、洗剤タンクと、下流端が吸込み口に接続された、洗剤タンクからの洗剤が流れる第２流路とを備え、第１流路内の水流によりベンチュリー部において発生する負圧で吸込み口から洗剤を吸引し、水に洗剤を混合して洗浄液を生成する洗浄液生成装置であって、第２流路に、第２流路を開通、遮断する弁装置を介設するものにおいて、弁装置は、直列に接続された第１洗剤弁と第２洗剤弁とで構成され、第１と第２の各洗剤弁は、弁室と、弁室内に弁室の端部の弁座に接離自在に設けられた弁体と、弁体を弁座に着座する閉じ方向に付勢する弁バネと、弁体を弁バネに抗して開き方向に移動させる電磁ソレノイドとを有する電磁弁であって、第１洗剤弁は、弁座に形成する弁孔に対し弁室が洗剤の流れ方向上流側に位置し、第２洗剤弁は、弁座に形成する弁孔に対し弁室が洗剤の流れ方向下流側に位置することを特徴とする。
【０００８】
また、本発明は、洗浄液生成装置で生成された洗浄液を浴槽内に噴射する洗浄ノズルを備える浴槽洗浄装置であって、洗浄液生成器として上記本発明のものを用いることを特徴とする。
【０００９】
本発明によれば、第１流路のベンチュリー部下流側部分での詰まりを生じて、ベンチュリー部の内圧が高くなっても、第２洗剤弁は、ベンチュリー部から吸込み口を介して作用する水圧で弁体が閉じ方向に押圧されて閉弁状態に維持され、洗剤タンクへの水の逆流を防止することができる。そして、洗剤タンクへの水の逆流を防止できることから、洗剤が薄められることや、更には、浴室内等の洗剤タンク設置場所に洗剤が溢れ出る被害を防止できる。尚、ベンチュリー部で発生する負圧により第２洗剤弁が仮に開弁しても、第１洗剤弁は閉弁状態に維持されるため、第２流路が不用意に開通することはない。
【００１０】
また、本発明において、第２流路を開通させる際は、第１洗剤弁を開弁させた後に、第２洗剤弁を開弁させることが望ましい。これによれば、後記詳述する如く第１と第２の各洗剤弁をスムーズに開弁動作させることができる。
【００１１】
また、本発明において、第２流路を遮断する際は、第２洗剤弁を閉弁させた後に、第１洗剤弁を閉弁させることが望ましい。これによれば、後記詳述する如く第１洗剤弁の閉弁時に弁体が弁座に勢いよく衝突して、弁体や弁座の摩耗を生ずることを抑制でき、耐久性が向上する。
【００１２】
ところで、第１洗剤弁を第２洗剤弁に対し洗剤の流れ方向下流側に配置することも可能である。然し、この場合には、第１流路のベンチュリー部下流側部分での詰まりを生じて、ベンチュリー部の内圧が高くなり、第１洗剤弁の弁体がベンチュリー部から吸込み口を介して作用する水圧で開き方向に押圧されて、一旦開き方向に動作すると、後記詳述する如く第１洗剤弁の弁体のチャタリングによる異音が発生する。
【００１３】
そのため、本発明においては、第２洗剤弁を第１洗剤弁に対し洗剤の流れ方向下流側に配置することが望ましい。これによれば、ベンチュリー部の内圧が高くなっても、第２洗剤弁が閉弁状態に維持されるため、第１洗剤弁の弁体に水圧による開き方向の押圧力は作用しない。その結果、第１洗剤弁の弁体のチャタリングによる異音の発生を防止することができる。
【図面の簡単な説明】
【００１４】
【図１】本発明の実施形態の洗浄液生成装置及び浴槽洗浄装置の構成を示す説明図。
【発明を実施するための形態】
【００１５】
図１を参照して、本発明の実施形態の浴槽洗浄装置は、水に洗剤を混合して洗浄液を生成する洗浄液生成装置１と、洗浄液生成装置１で生成された洗浄液を浴槽２内に噴射する洗浄ノズル３とを備えている。
【００１６】
洗浄液生成装置１は、下流端に洗浄ノズル３が接続された、水（水道管からの冷水又は給湯器からの温水）が流れる第１流路４と、第１流路４の途中に設けられた、流路断面積が最小となるベンチュリー部４１と、ベンチュリー部４１の周壁部４１ａに開設された吸込み口４２と、液状洗剤を貯留する洗剤タンク５と、下流端が吸込み口４２に接続された、洗剤タンク５からの洗剤が流れる第２流路６とを備えている。そして、第１流路４内の水流によりベンチュリー部４１において発生する負圧で吸込み口４２から洗剤を吸引し、水に洗剤を混合して洗浄液を生成する。
【００１７】
尚、洗剤タンク５は、浴室内の適所、例えば、浴槽２の上端周縁のフランジ部２１の下に配置されている。洗剤タンク５の上端には、フランジ部２１上面に露出する、常時はキャップ（図示省略）で閉塞される洗剤補給口５１が設けられている。また、浴槽２の底面には、排水路２２が接続されており、排水路２２に介設した排水弁２３を開弁することで浴槽２からの排水が行われる。
【００１８】
第１流路４には、ベンチュリー部４１の上流側に位置させて、流量調節弁７と開閉弁８が介設されている。また、第２流路６には、第２流路６を開通、遮断する弁装置が介設されている。そして、第２流路６を開通した状態で開閉弁８を開弁させて第１流路４に通水することにより、上記の如く洗浄液を生成して、この洗浄液を洗浄ノズル３から噴射する洗浄運転と、第２流路６を遮断した状態で第１流路４に通水することにより、洗浄ノズル３から水を噴射するすすぎ運転とを行うことができるようにしている。
【００１９】
また、本実施形態では、上記弁装置を、直列に接続された第１洗剤弁９１と第２洗剤弁９２とで構成している。第１と第２の各洗剤弁９１，９２は、弁室９１と、弁室９１内に弁室９１の端部の弁座９２に接離自在に設けられた弁体９３と、弁体９３を弁座９２に着座する閉じ方向に付勢する弁バネ９４と、弁体９３を弁バネ９４に抗して開き方向に移動させる電磁ソレノイド９５とを有する電磁弁で構成されている。電磁ソレノイド９５は、コイル９５１と、コイル９５１内のガイドスリーブ９５２に摺動自在に内挿されたプランジャ９５３とで構成され、このプランジャ９５３の軸方向先端に弁体９３が取り付けられている。また、ガイドスリーブ９５２の軸方向尾端部に設けたバネ室９５２ａに弁バネ９４を収納して、弁バネ９４によりプランジャ９５３を介して弁体９３を閉じ方向に付勢するようにしている。そして、コイル９５１を通電励磁することで、プランジャ９５３が弁バネ９４に抗して軸方向尾端側に吸引され、弁体９３が開き方向に移動するようにしている。尚、第１と第２の各洗剤弁９１，９２のバネ室９５２ａは、プランジャ９５３の摺動クリアランスを介して弁室９１に連通しており、バネ室９５２ａの内圧が弁室９１の内圧と等圧に維持される。そのため、バネ室９５２ａの内圧の影響で、弁室９１の内圧が正圧ときはプランジャ９５３を介して弁体９３が閉じ方向に押圧され、弁室９１の内圧が負圧のときはプランジャ９５３を介して弁体９３が開き方向に吸引される。
【００２０】
ここで、第１洗剤弁９１は、弁座９２に形成する弁孔９２ａに対し弁室９１が洗剤の流れ方向上流側に位置し、一方、第２洗剤弁９２は、弁座９２に形成する弁孔９２ａに対し弁室９１が洗剤の流れ方向下流側に位置している。また、第２洗剤弁９２を第１洗剤弁９１に対し洗剤の流れ方向上流側に配置することも可能であるが、本実施形態では、第２洗剤弁９２を第１洗剤弁９１に対し洗剤の流れ方向下流側に配置している。具体的に説明すれば、第１洗剤弁９１の弁室９１に、洗剤タンク５に連なる第２流路６の上流側部分を接続すると共に、第２洗剤弁９２の弁室９１に、吸込み口４２に連なる第２流路６の下流側部分を接続し、更に、第１洗剤弁９１の弁孔９２ａと第２洗剤弁９２の弁孔９２ａとを互いに接続している。
【００２１】
以上の構成によれば、すすぎ運転時に、第１流路４のベンチュリー部４１下流側の部分（洗浄ノズル３を含む）での詰まりによりベンチュリー部４１の内圧が高くなっても、第２洗剤弁９２は、ベンチュリー部４１から吸込み口４２を介して弁室９１に作用する水圧で弁体９３が閉じ方向に押圧されて閉弁状態に維持され、洗剤タンク５への水の逆流を防止することができる。そして、洗剤タンク５への水の逆流を防止できることから、洗剤が薄められることや、更には、浴室内等の洗剤タンク５設置場所に洗剤が溢れ出る被害を防止できる。尚、通常は、通水時にベンチュリー部４１で負圧が発生し、第２洗剤弁９２の弁室９１の内圧も負圧になる。そして、第２洗剤弁９２の弁体９３が開き方向に吸引されて第２洗剤弁９２が仮に開弁しても、第１洗剤弁９１は閉弁状態に維持されるため、第２流路６が不用意に開通することはない。
【００２２】
また、本実施形態では、第２流路６を開通させる際は、第１洗剤弁９１を開弁させた後に、第２洗剤弁９２を開弁させ、即ち、第１洗剤弁９１を第２洗剤弁９２に先行して開弁させるようにしている。ここで、本実施形態の如く第２洗剤弁９２が第１洗剤弁９１に対し洗剤の流れ方向下流側に配置されている場合、第１洗剤弁９１を第２洗剤弁９２に先行して開弁させれば、第１洗剤弁９１の開弁時には、第１洗剤弁９１の弁孔９２ａと吸込み口４２との連通が閉弁状態の第２洗剤弁９２で遮断されるため、ベンチュリー部４１で発生する負圧が第１洗剤弁９１の弁孔９２ａを介して第１洗剤弁９１の弁体９３に閉じ方向への吸引力として作用せず、更に、第２洗剤弁９２の開弁時には、第２洗剤弁９２の弁体９３に、ベンチュリー部４１で発生する負圧による開き方向への吸引力が作用すると共に、第２洗剤弁９２の弁孔９２ａに洗剤のヘッド圧が開弁状態の第１洗剤弁９１を介して導入されて、第２洗剤弁９２の弁体９３に洗剤のヘッド圧による開き方向への押圧力が作用し、第１と第２の各洗剤弁９１，９２をスムーズに開弁動作させることができる。
【００２３】
また、第２洗剤弁９２が第１洗剤弁９１に対し洗剤の流れ方向上流側に配置されている場合でも、第１洗剤弁９１を第２洗剤弁９２に先行して開弁させれば、第１洗剤弁９１の開弁時には、第１洗剤弁９１の弁室９１と洗剤タンク５との連通が閉弁状態の第２洗剤弁９２により遮断されるため、第１洗剤弁９１の弁体９３に洗剤のヘッド圧による閉じ方向への押圧力が作用せず、更に、第２洗剤弁９２の開弁時には、第２洗剤弁９２の弁室９１にベンチュリー部４１で発生する負圧が開弁状態の第１洗剤弁９１を介して導入されて、第２洗剤弁９２の弁体９３に負圧による開き方向への吸引力が作用すると共に、洗剤のヘッド圧による開き方向への押圧力が作用し、第１と第２の各洗剤弁９１，９２をスムーズに開弁動作させることができる。
【００２４】
ところで、第２流路６を遮断する際に、第１洗剤弁９１を第２洗剤弁９２に先行して閉弁させると、第１洗剤弁９１の弁孔９２ａにベンチュリー部４１で発生する負圧が導入されると共に、第１洗剤弁９１の弁室９１に洗剤のヘッド圧が導入された状態で第１洗剤弁９１が閉弁されることになる。そのため、第１洗剤弁９１の閉弁時に、第１洗剤弁９１の弁体９３に負圧による弁座９２側への吸引力及び洗剤のヘッド圧による弁座９２側への押圧力が作用して、第１洗剤弁９１の弁体９３が弁座９２に勢いよく衝突し、弁体９３や弁座９２の摩耗を生ずる。
【００２５】
そこで、本実施形態では、第２流路６を遮断する際は、第２洗剤弁９２を閉弁させた後に、第１洗剤弁９１を閉弁させるようにしている。ここで、本実施形態の如く第２洗剤弁９２が第１洗剤弁９１に対し洗剤の流れ方向下流側に配置されている場合、第２洗剤弁９２を第１洗剤弁９１に先行して閉弁させれば、第１洗剤弁９１の閉弁時には、第１洗剤弁９１の弁孔９２ａへのベンチュリー部４１で発生する負圧の導入が閉弁状態の第２洗剤弁９２により阻止される。そのため、第１洗剤弁９１の閉弁時に、第１洗剤弁９１の弁体９３に負圧による弁座９２側への吸引力が作用せず、第１洗剤弁９１の弁体９３が弁座９２に勢いよく衝突することを防止できる。また、第２洗剤弁９２が第１洗剤弁９１に対し洗剤の流れ方向上流側に配置されている場合でも、第２洗剤弁９２を第１洗剤弁９１に先行して閉弁させれば、第１洗剤弁９１の閉弁時には、第１洗剤弁９１の弁室９１と洗剤タンク５との連通が閉弁状態の第２洗剤弁９２により遮断される。そのため、第１洗剤弁９１の閉弁時に、第１洗剤弁９１の弁体９３に洗剤のヘッド圧による弁座９２側への押圧力が作用せず、第１洗剤弁９１の弁体９３が弁座９２に勢いよく衝突することを防止できる。
【００２６】
従って、第２流路６を遮断する際に、第２洗剤弁９２を第１洗剤弁９１に先行して閉弁させれば、第２洗剤弁９２が第１洗剤弁９１に対し洗剤の流れ方向下流側に配置されている場合と第２洗剤弁９２が第１洗剤弁９１に対し洗剤の流れ方向上流側に配置されている場合との何れにおいても、第１洗剤弁９１の弁体９３が閉弁時に弁座９２に勢いよく衝突して、弁体９３及び弁座９２の摩耗を生ずることを抑制でき、耐久性が向上する。
【００２７】
但し、第２洗剤弁９２が第１洗剤弁９１に対し洗剤の流れ方向上流側に配置されている場合には、第１流路４のベンチュリー部４１の下流側部分での詰まりを生じて、ベンチュリー部４１の内圧が高くなると、第１洗剤弁９１の弁体９３がベンチュリー部４１から吸込み口４２を介して第１洗剤弁９１の弁孔９２ａに導入される水圧で開き方向に押圧される。そして、第１洗剤弁９１の弁体９３が一旦開き方向に動作すると、以後、第１洗剤弁９１の弁孔９２ａの水圧が低下して、弁体９３が弁バネ９４の付勢力で閉じ方向に動作することと、第１洗剤弁９１の閉弁で弁孔９２ａの水圧が再度上昇して、弁体９３が開き方向に動作することとを繰り返し、チャタリングによる異音が発生する。
【００２８】
一方、本実施形態の如く、第２洗剤弁９２を第１洗剤弁９１に対し洗剤の流れ方向下流側に配置すれば、ベンチュリー部４１の内圧が高くなっても、第２洗剤弁９２が閉弁状態に維持されるため、第１洗剤弁９１の弁孔９２ａにベンチュリー部４１からの水圧は導入されない。その結果、第１洗剤弁９１の弁体９３のチャタリングによる異音の発生を防止することができる。
【００２９】
以上、本発明の実施形態について図面を参照して説明したが、本発明はこれに限定されない。例えば、上記実施形態では、浴槽洗浄装置で使用する洗浄液生成装置に本発明を適用しているが、浴槽洗浄装置以外の他の洗浄装置で用いる洗浄液生成装置にも同様に本発明を適用できる。
【符号の説明】
【００３０】
１…洗浄液生成装置、２…浴槽、３…洗浄ノズル、４…第１流路、４１…ベンチュリー部、４１ａ…周壁部、４２…吸込み口、５…洗剤タンク、６…第２流路、９１…第１洗剤弁、９２…第２洗剤弁、９１…弁室、９２…弁座、９２ａ…弁孔、９３…弁体、９４…弁バネ、９５…電磁ソレノイド。
【図１】
2019166247.tif 000003